Podtech/llm-jp-corpus-v4-ja_patent huggingface dataset:
(57)【要約】      （修正有）【課題】マスク本体に使用する素材において表面と裏面に異なる色の素材を使用し、顔面に接触する裏面に化粧品の顔料と同一色、もしくは同系色の色の素材を用いることで、変色や染みを目立たなくする変色防止マスクを提供する。【解決手段】２枚以上の素材を用いてマスクを製造し、裏面と表面の上下あるいは左右をマスクの内部に折り返した形で裏面と表面を縫合、あるいは裏面と表面の素材を圧着することで、裏面と表面のマスクの色を変える。裏面に使用する素材の色を、マスク使用者が利用する化粧品の顔料と同一色もしくは同系色の色とする。【選択図】図２
0003230593.tif 000002
【実用新案登録請求の範囲】
【請求項１】
衛生用及び家庭用のマスク本体の顔面との接触面（裏地）と、着用時に露出する面（表地）において、使用する素材の色をそれぞれ変え、裏地に顔に使用する化粧品の顔料と同一色、もしくは同系色の素材を使用することで、化粧品によるマスクの変色や染みを目立たなくすることを特徴とした変色防止マスク
【考案の詳細な説明】
【技術分野】
【０００１】  本考案は、表面と裏面で異なる色の素材を使用し、裏面に化粧品の顔料と同一色、もしくは同系色の素材を用いたマスクに関するものである。
【背景技術】
【０００２】衛生用、家庭用マスクにおいて、通常着用時に露出する表面と顔面に接触する裏面において、裏面の色は表面の色と同一であるとし、表面と同一の色の素材を使用していた。特にマスクの色は衛生的な印象から白色を用いられることが多く、同時に裏面にも白色の素材が使用されていた。【０００３】
【非特許文献】「川本産業株式会社  一般のお客様向け製品総合カタログ」川本産業株式会社，２０１９年，Ｐ１０
【考案の概要】
【考案が解決しようとする課題】
【０００４】マスクの裏面が白色の場合、顔面に接触することから、化粧品の顔料による変色や染みが目立ち、着用時や脱着した際に非衛生的な印象となり使い勝手が悪い。従って、マスク裏面の素材の色を変え、化粧品の顔料による変色が目立たなくすることで前述の欠点を解決しようとするものである。
表面と裏面の素材を変えることで、白色や好みの色のマスクを着用したい場合にも裏面の変色を目立たなくすることが可能である。
【課題を解決するための手段】
【０００５】本考案は、２枚以上の素材を用いてマスクを製造し、裏面と表面の上下あるいは左右をマスクの内部に折り返した形で裏面と表面を縫合、あるいは裏面と表面の素材を圧着することで、裏面と表面のマスクの色を変えることを解決している。裏面に使用する素材の色において、化粧品の顔料と同一色、もしくは同系色の色とはＲＧＢカラーモデルにおける＃ｄｄ００６４のような色を指す。
【図面の簡単な説明】
【０００６】
【図１】本考案の変色カモフラージュマスクの正面図である。
【図２】本マスクの一部切欠断面図である。
【実施例】
【０００７】  以下添付図面に沿って一実施例を説明する。４は本マスクの裏地であり、５は本マスクの表地である。２つの素材を図のように左右をそれぞれ折り返した上で、２つもしくは２つ以上の素材を縫合し、表面と裏面で異なる素材を使用することが可能である。２つ以上の素材を合わせる手段としては、上下・左右の縫合、または生地同士の無縫製加工による圧着も同様に本マスクの特徴を実装できる。
【符号の説明】
【０００７】１  マスクの表面の素材
２  マスクの裏面の素材
３  ゴム紐
４  マスクの裏面の素材
５  マスクの表面の素材
【図１】
0003230593.tif 000003
【図２】
0003230593.tif 000004
(57)【要約】      （修正有）【課題】場所を選ばずに季節の花や調度を飾ることができる伝統的工芸を結集した組立式の飾り棚システムを提供する。【解決手段】飾り棚システムは、本体フレーム１、棚板２、足３、背板を有し、それぞれが交換、カスタマイズでき、背板は金箔、鏡、和紙、漆、生地、着物地などの伝統的な素材からなり、それらを本体フレームから引き抜き、交換することが可能であり、また、本体フレームや棚板も日本の伝統的手法や素材を取り入れた、木組み、漆塗など多彩な手法で作られ、棚板には穴が開けられ、花器や調度を装着し、脱落しにくい構造とし、飾り棚を掛ける場合は足を取り外し、置いたり、金具で掛けたりする事が可能である。【選択図】図１
0003230585.tif 000002
【実用新案登録請求の範囲】
【請求項１】
組み立て式の飾り棚システム。
背板がカスタマイズできる。
素材が多様である。
置くことも、掛けることができる
【考案の詳細な説明】
【技術分野】
【０００１】
この考案は、花や調度を飾るための飾り棚に関するものである
【背景技術】
【０００２】
従来の花飾りは垂撥（すいはつ）や飾り棚などの限定した場所（床の間）に使用された。茶道で使用する棚ものは茶道具を飾る目的でつくられており、本考案のようにどんな空間にでも置いたり掛けたり使用することはできない。
【考案の概要】
【考案が解決しようとする課題】
【０００３】
現代の生活空間には床の間や座敷が作られることは希少であり、大きなスペースが必要になる。また、生活の西欧化により、インテリアも変化している。本考案はこれらの問題を解決するものである
【課題を解決するための手段】
【０００４】
本考案は組み立て式で、置くことも壁に掛けることも可能である。また背板を交換することで、季節や目的に応じたカスタマイズが可能である。
【考案の効果】
【０００５】
この考案は軽量かつ組み立て式のため、使用しない場合の収納は簡単であり、上述のように飾る場所を選ばず、季節の花や調度を飾ることで、来客へのおもてなしが可能である。
また、床の間は現在の住宅の場からほとんど姿を消しており、床の間を中心に花飾りや床飾りはその場を失った。そのために日本の伝統的な技術は衰退し、職人はその技術の継承が出来なくなっている。それらの伝統的技術を新たに命を吹き込み、継承すべき技術を維持することに貢献できる。
【図面の簡単な説明】
【０００６】
【図１】本考案の正面図である
【図２】本考案の立面図である
【図３】本考案の右側面図である
【考案を実施するための形態】
【０００７】
本体フレーム１と棚板２、足３、背板４から構成されおり、
棚板２には穴が開けられている。この部分に器や調度を差し込み固定する。
足部分は棚板に通しフレームに固定する。
また背板４はフレーム１から取り外しが可能である。
フレームは背面の金具で壁に掛けることができる
【実施例】
【０００８】
以下、添付図面に従って実例案を説明する。
1：木材などの様々な素材のフレームである
２：1に接続された棚板である。穴が開いてあり、そこに花器などをセットする
３：足はテーブルなどに置く場合に使用する。本体を掛ける場合には外して使用する
４：背板は本体にセットし、取り外すことができる。素材は生地、金箔、紙、生地、鏡など季節や使途に応じて変えることができる
【産業上の利用可能性】
【０００９】
床の間は現在の住宅の場からほとんど姿を消しており、床の間を中心に花飾りや床飾りはその場を失った。そのために日本の伝統的な技術は衰退し、職人はその技術の継承が出来なくなっている。それらの伝統的技術を新たに命を吹き込み、継承すべき技術を維持することに貢献できる。
【符号の説明】
【００１０】
１、飾り棚本体（フレーム）
２、棚板
３、足
４、背板
５、棚板の穴部分
【図１】
0003230585.tif 000003
【図２】
0003230585.tif 000004
【図３】
0003230585.tif 000005
【手続補正書】
【提出日】令和2年11月30日(2020.11.30)
【手続補正１】
【補正対象書類名】実用新案登録請求の範囲
【補正対象項目名】全文
【補正方法】変更
【補正の内容】
【実用新案登録請求の範囲】
【請求項１】
この考案は４つの部品が組み合わされており、それぞれが交換、カスタマイズでき、背板部分（４）は金箔、鏡、和紙、、漆、生地、着物地などの伝統的な様々な素材からできており、それらを本体から引き抜き、交換することが可能であり、また、本体フレーム（１）や棚板（２）も日本の伝統的手法や素材を取り入れた、木組み、漆塗など多彩な手法を取り入れて作られており、棚板（２）には（５）の穴が開けられ、花器やその他の調度を装着しやすく、脱落しにくい構造としており、この飾り棚を掛ける場合は足（２）を取り外し、本体の金具で掛けることが可能であり、置いたり、掛けたるする事が可能である事を特徴とする組み立て式の飾り棚システム。
(57)【要約】      （修正有）【課題】マスク生地に縫製を行うことなく、不織布を用いる場合のような設備も必要としない、シールとゴム紐あるいは紐で簡単に作成できるマスクを提供する。【解決手段】マスクは、マスク生地Ｓ２、シール材Ｓ１、ゴム紐Ｓ３を含む。シール材Ｓ１の貼付面に半分程マスク生地Ｓ２を貼り、マスク生地Ｓ２の生地面上あるいは生地の端にそってゴム紐Ｓ３あるいは紐Ｓ３を貼り、シール材Ｓ１を貼付面で包みこむように折り曲げ、マスク生地Ｓ２にゴム紐あるいは紐Ｓ３を固定し、同作業をマスク生地Ｓ２の対称側にも行いマスクを完成させる。【選択図】図４
0003230021.tif 000002
【実用新案登録請求の範囲】
【請求項１】
超強力粘着剤を耐水性、耐久性のあるユポ、あるいは塩ビ、あるいはポリエステル、あるいはサテン材料に塗布されたシール材に、マスク生地をシール材の塗布面の半分程に貼り、シールに貼ったマスクの生地面上にもしくは生地の端にそってゴム紐あるいは紐を貼り、生地のついていない残りのシール材をゴム紐あるいは紐を粘着面を包みこむように折り曲げゴム紐あるいは紐を固定し、同作業を対称側にも行いマスクを完成させることを特徴とするマスクシールキットである。
【考案の詳細な説明】
【技術分野】
【０００１】  本考案は主として、シール材料を布地に貼り付け、ゴム紐あるいは紐を挟むことにより簡単にマスクができる商品に関するものである。
【背景技術】
【０００２】  従来のマスクは布製の場合はゴム紐あるいは紐と生地を縫製し、製作に時間がかかり、縫製技術が必要であった。不織布の場合は加工に設備が必要で、製品も使い捨て廃棄されてしまうものであった。
【考案の概要】
【考案が解決しようとする課題】
【０００３】  本考案が解決しようとする課題は、縫製を行うことなく、不織布の場合のような設備も必要としない、シールとゴム紐あるいは紐とだけで、簡単にマスク製品ができるものである。
【課題を解決するための手段】
【０００４】  本考案のシール材料は耐水性、耐久性のある、ユポ、塩ビ、ポリエステル、サテン材料の貼付面に超強粘着剤を使用し、ゴム紐あるいは紐を間に挟み生地に貼り付けるだけで、通常使用に十分耐える状態のマスクができることにより問題点を解決している。
【考案の効果】
【０００５】  上述の様に、本考案のマスクシールキットは、生地があれば簡単に作る事ができ、耐水性、耐久性のあるシール材料を超強力粘着剤でゴム紐あるいは紐を固定してあるから一般の布マスク同様通常の汚れ洗いにも耐えマスクとして役立つ。
【図面の簡単な説明】
【０００６】
【図１】本考案のシールの視図
【図２】本考案のシールにマスク生地とゴム紐あるいは紐を貼った図
【図３】図２のシールの生地、ゴム紐あるいは紐の貼ってない部分を折り曲げ固定した図
【図４】マスク生地の対称側に同作業をしマスクを完成させた図
【考案を実施するための形態】
【０００７】  マスク生地の両側にシールで固定されたゴム紐あるいは紐でマスクの形状をなし、マスクとして使用できる。
【実施例】
【０００８】  以下、添付図面に従って説明する。
図１は本考案のシールの視図である。材料は耐水性、耐久性のあるユポ、塩ビ、ポリエステル、サテンを使用するが、シール（Ｓ１）の貼付面（Ｔ１）には超強粘の粘着剤が塗られている。裏面（Ｔ２）には糊層は無い。
図２は、超強粘の粘着剤の塗られたシール材（Ｔ１）にマスク生地（Ｓ２）が半分程貼った図にマスク生地（Ｓ２）の生地面に沿ってゴム紐（Ｓ３）あるいは紐（Ｓ３）をシール材（Ｔ１）に貼った図である。
図３は、シール材（Ｓ１）をゴム紐（Ｓ３）あるいは紐（Ｓ３）を接着面側に折り曲げ、ゴム紐（Ｓ３）あるいは紐（Ｓ３）を包み込み固定した図である。
図４はマスク生地のもう一方を図３と同じように作業をした完成図である。
これによってマスクとして使用できる。
【符号の説明】
【０００９】  Ｓ１  シール
Ｓ２  マスク生地
Ｓ３  ゴム紐あるいは紐
Ｔ１  シール材料に超強粘糊を塗布してある面
Ｔ２  シール材料に超強力糊を塗布していない面
【図１】
0003230021.tif 000003
【図２】
0003230021.tif 000004
【図３】
0003230021.tif 000005
【図４】
0003230021.tif 000006
【手続補正書】
【提出日】令和2年10月2日(2020.10.2)
【手続補正１】
【補正対象書類名】実用新案登録請求の範囲
【補正対象項目名】全文
【補正方法】変更
【補正の内容】
【実用新案登録請求の範囲】
【請求項１】
四角あるいは楕円の形状の耐水性、耐久性のあるユポ、あるいは塩ビ、あるいはポリエステル、あるいはサテン材料に超強力粘着剤を塗布されたシール材に、マスク生地をシール材の塗布面の半分程に貼り、シールに貼ったマスクの生地面上にもしくは生地の端にそってゴム紐あるいは紐を貼り、生地のついていない残りのシール材をゴム紐あるいは紐を粘着面を包みこむように折り曲げゴム紐あるいは紐を固定し、同作業を対称側にも行いマスクを完成させることを特徴とするマスクシールキット。
(57)【要約】      （修正有）【課題】だれもが簡便に従来の草履に着脱ができる鼻緒飾りを提供する。【解決手段】リング状の金具部材１ａ、１ｂとこの上に設置された装飾部材４を備えた鼻緒飾りであり、草履の前坪に鼻緒飾りのリング状の金具１ａ、１ｂを挟み込むようにして簡易に装着することができる。従来の草履本体をそのまま使い、鼻緒の上面に衣装に合わせて簡易に着脱可能な幅広いデザインの鼻緒飾りを容易に取り付けることが可能となる。【選択図】図１
0003230027.tif 000002
【実用新案登録請求の範囲】
【請求項１】
草履の前坪に挟み込まれたリング状の金具部材と、この金属部材上に設置された装飾部材とを備えてなることを特徴とする鼻緒飾り。
【請求項２】
２個のリング状の金具部材が前坪の前後に跨るように挟み込まれたことを特徴とする請求項１記載の鼻緒飾り。
【請求項３】
装飾部材がパールよりなることを特徴とする請求項１又は２記載の鼻緒飾り。
【請求項４】
リング状の金具の端部に玉部が形成されたことを特徴とする請求項１又は２又は３記載の鼻緒飾り。
【考案の詳細な説明】
【技術分野】
【０００１】  本考案は、草履の前坪に装着する鼻緒飾りに関する。
【背景技術】
【０００２】    従来の草履は着る衣装によって鼻緒の色、柄を変えることができず、草履本体を衣装に合わせて履き替えていた。これに対処するため、特許文献１には、草履本体をそのまま使い、衣装に合わせて鼻緒飾りを簡易に着脱できる鼻緒飾りを提供すべく、草履の鼻緒上面に、布等の素材で作成した鼻緒飾りを巻いて装着し、両端部を足のかかと部に回して締め、平面ファスナーでかかと部にしっかりと固定し、鼻緒飾りに付けた左右の紐を結び脱げないようにする技術が開示されている。
【先行技術文献】
【特許文献】
【０００３】
【特許文献１】特開２００６−１３０２６９
【考案の概要】
【考案が解決しようとする課題】
【０００４】    特許文献１の鼻緒飾りは、鼻緒上面への巻き付け、かかと部への締め、ファスナーの固定等の作業が必要で、構造的にも複雑で、使い勝手が良くない問題がある。
【課題を解決するための手段】
【０００５】    本考案は、草履の前坪に挟み込まれたリング状の金具部材と、この金属部材上に設置された装飾部材を備えた鼻緒飾りを提供する。リング状の金具部材を２個とすれば、安定かつ強固に取り付け可能とでき、装飾部材として和装に適した任意の装飾部材を装着することが可能となる。さらに、本考案はリング状の金具部材の先端に玉部を形成することで、草履の前坪への負担を軽減し、固定力を高めている。
【考案の効果】
【０００６】    本考案の鼻緒飾りは、従来の草履を使い、鼻緒上面の意匠を簡易に着脱してデザインを変化させることができるものである。これにより、従来は和装等の衣装によって調和する草履を選択していたが、衣装と鼻緒飾りの調和するものを選択し、草履自体の鼻緒の色、柄の意匠に関係なく、簡易に取り付けることにより衣装と調和のとれた履物を容易に提供することができる。そして、本考案によれば、持ち運びでき、草履を履いたまま鼻緒飾りを容易に付け替えすることが可能になる。また、リング状の金具部材の先端に玉部を形成することで外れにくく、草履の鼻緒部分を傷めにくものとしている。足元をジュエリーで装飾することで草履自体のデザイン性を高めることが可能となる。
【図面の簡単な説明】
【０００７】
【図１】本考案に係る鼻緒飾りの外観図である。
【図２】図１の鼻緒飾りを装着した草履の要部外観図である。
【考案を実施するための形態】
【０００８】    以下、本考案の実施例の鼻緒飾りとその使用例を図１と２に示す。１ａ、１ｂはリング状の金具、２は金属製の台座、３は台座２上に設けられた金属製のパール受け、４はパール、５は金属製の玉部でリング状の金具１ａ、１ｂの下端部に４個設けられている。リング状の金具１ａ１ｂ、玉部５、台座２、パール受け３は、真鍮に銀メッキを施したもの又は貴金属を用いて装飾性を高めている。台座２とパール受け３は固定部６でハンダ付けされており、リング状の金具１ａ１ｂと台座２はハンダ付けで接着されている。玉部５は、リング状の金具１ａ１ｂと一体成型されている。
【０００９】    図２に、図１の鼻緒飾りの２個のリング状の金具１ａ１ｂを、指でパール受け３を保持して草履８の前坪７に挟み込むように取り付けた状態を示す。リング状の金具１ａ１ｂは輪状であるため、前坪７に挟み込みやすく、容易に装着でき、玉部５により前坪７に安定良く保持される。また、パール受け３を指で保持して持ち上げると、リング状の金具１ａ１ｂは前坪７から容易に取り外すことができる。このように、本考案の鼻緒飾りは、草履の前坪への着脱をきわめて容易に行うことができる。
【００１０】  本考案の鼻緒飾りは、装飾部材はパールのほかに、例えばスワロフスキーや黒真珠、サンゴ、シルバーアクセサリー、鼈甲、その他宝石類などバラエティに富んだ装飾部材を備えたものを提供する。また、本考案の鼻緒飾りを「草履ピアス」として販売する予定である。
【符号の説明】
【００１１】  １ａ  リング状の金具
１ｂ  リング状の金具
２    台座
３    パール受け
４    パール
５    玉部
６    固定部
７    前坪
８    草履
【図１】
0003230027.tif 000003
【図２】
0003230027.tif 000004
(57)【要約】      （修正有）【課題】介護施設等でのベッドの手摺に設置される衝撃緩衝部材で、簡便、容易に脱着可能で、しかもずれ落ちを防止する機能を有する衝撃緩衝部材を提供する。【解決手段】ベッドのサイド手摺８外周面に脱着可能に設置する衝撃緩衝部材であって、ベッドの床面近傍から手摺８の上端に向かって設置され、少なくとも手摺８のベッド側内面から上端部を覆い、クッション性の素を内包する。【選択図】図２
0003230022.tif 000002
【実用新案登録請求の範囲】
【請求項１】
ベッドのサイド手摺外周面に脱着可能に設置する衝撃緩衝部材であって、ベッドの床面近傍から手摺の上端に向かって設置され、少なくとも手摺のベッド側内面から上端部を覆うことを特徴とするクッション性の衝撃緩衝部材。
【考案の詳細な説明】
【技術分野】
【０００１】  本考案は介護施設等で使用されるベッドのサイド手摺に設置する衝撃緩衝用の介護ベッド用手摺衝撃緩衝部材に関する。
【背景技術】
【０００２】      特許文献１に開示されているように、従来の手摺衝撃緩衝部材は、手摺の構成パイプを個々に衝撃緩衝部材をつけるものは知られていた。しかし、介護施設等で衝撃緩衝部材を付けるにはベッドの数も多く取り外しに多くの時間が要するといった課題があった。
【先行技術文献】
【特許文献】
【０００３】
【特許文献１】特許公開２０１５−１６３７４９号公報
【考案の概要】
【考案が解決しようとする課題】
【０００４】  本考案の課題は、介護施設等でのベッドの手摺に設置される衝撃緩衝部材で、簡便、容易に脱着可能で、しかもずれ落ちを防止する機能を有する衝撃緩衝部材を提供することである。
【課題を解決するための手段】
【０００５】  ベッドのサイド手摺外周面に脱着可能に設置する衝撃緩衝部材であって、ベッドの床面近傍から手摺の上端に向かって設置され、少なくとも手摺のベッド側内面から上端部を覆うことを特徴とするクッション性の衝撃緩衝部材。
【考案の効果】
【０００６】  本考案の衝撃緩衝部材は、介護施設等でのベッドの手摺に設置される衝撃緩衝部材であり、簡便、容易に脱着可能で、しかもずれ落ちを防止する機能を有するという従来にない効果を有する物である。介護施設では、被介護者がベッド上で、無意識に手足を振り上げ、振り落としする際に手摺に手足にぶつけて、内出血を起こすようなことが日常的に経験されているが、そのような事故を未然に防ぐことが可能になる。また、被介護者がベッド手摺の隙間に腕を入れたままベッドの背上げによって生じうる骨折等の事故も防ぐことができる。
【図面の簡単な説明】
【０００７】
【図１】本考案の実施態様の衝撃緩衝部材
【図２】本考案の実施態様の衝撃緩衝部材をベッドに装着した正面図
【図３】ベッドに固定した本衝撃緩衝部材に被せるアクセサリカバー
【考案を実施するための形態】
【０００８】ベッド床面近傍から上方に向かって設置されるベッドの脱落防止用手摺に設置される衝撃を緩衝するための衝撃緩衝部材であって、クッション性の素材を布、不織布、塩化ビニルシート等で包含するように縫製され、その大きさは、ベッドの長手方向に沿って設置される手摺の長さと概ね同程度の幅を有し、その長さは
少なくともベッドの床面から手摺の上端を覆う長さを有していれば良い。また、手摺のベッド内側から手摺上端に達し、上端部で外側に折り返し、ベッド床面までに達するまでの間の任意の長さでも良い。すなわち、図４に示す形態でもよい。
クッション素材は、衝撃緩衝作用のある素材であれば特に限定されない。
クッション素材を包含した物にさらに布、キルティング布等のカバーを取り付けてもよく、そのカバーは容易に取り外して、洗濯できるようにしても良い。また、カバーの柄を使用者の好みに合わせたものを用意できるようにしてもよい。
【実施例】
【０００９】以下、添付図面に従って一実施例を説明する。
図１は衝撃緩衝部材の全体図で以下の構成となっている。
１は幅約１００ｃｍ、長さ約８０ｃｍ、厚さ２ｃｍの矩形状の発砲性ポリウレタンスポンジ（密度１６）（図面省略）、２は幅約１００ｃｍ、長さ８０ｃｍ、マチ幅約２ｃｍの綿生地の袋で１を収納して縫合したもの、
３は幅１．５ｃｍ、長さ２５ｃｍの固定用綿紐（計１４箇所）で５の部分において２の袋と１の発砲ポリウレタン縫い合わせされている。２の中央部４では、２の袋と１の発砲性ウレタンスポンジを縫い合わせている。
図２は図１の衝撃緩衝部材をベッドのサイド手摺に３の固定用綿紐で固定したものである。
図３はベッドサイド手摺に固定された図２のベッドのサイド手摺に固定された衝撃緩衝部材を覆うキルティングカバーである。
【符号の説明】１  内材ポリウレタン
２  袋
３  固定用綿紐
４  ずれ防止中央縫い付け部
５  ずれ防止綿紐縫い付け部
６  布カバー
７  マジックテープ
８  ベッドサイド手摺
【産業上の利用可能性】
【００１０】  介護用ベッドの手摺衝撃緩衝部材として活用できる
【図１】
0003230022.tif 000003
【図２】
0003230022.tif 000004
【図３】
0003230022.tif 000005
【図４】
0003230022.tif 000006
【手続補正書】
【提出日】令和2年10月5日(2020.10.5)
【手続補正１】
【補正対象書類名】実用新案登録請求の範囲
【補正対象項目名】全文
【補正方法】変更
【補正の内容】
【実用新案登録請求の範囲】
【請求項１】
ベッドのサイド手摺外周面に脱着可能に設置する衝撃緩衝部材であって、少なくとも手摺のベッド側内面から上端部を覆う形状を特徴とするクッション性の衝撃緩衝部材。
【手続補正２】
【補正対象書類名】明細書
【補正対象項目名】０００７
【補正方法】変更
【補正の内容】
【０００７】
【図１】本考案の実施態様の衝撃緩衝部材
【図２】本考案の実施態様の衝撃緩衝部材をベッドに装着した正面図
【図３】ベッドに固定した本衝撃緩衝部材に被せるアクセサリカバー
【図４】本考案の別の実施例
(57)【要約】      （修正有）【課題】単独使用は当然のこととし、４つを組み合わせて額縁形状にして使用することも可能なマグネットホルダーを提供する。【解決手段】長尺な台形状で、底辺２の両角がそれぞれ４５度であることを特徴とするマグネットホルダー１、１ａである。４つのマグネットホルダー１、１ａを組み合わせて額縁形状にして使用することができる。マグネットホルダー１、１ａは、例えば、プラスチックケース内に、複数の永久磁石を収納して形成され、プラスチックケースに適宜装飾が施されることがある。また、上辺３及び底辺２は、波形状、鋸歯形状その他の非直線状にされることもある。【選択図】図３
0003230100.tif 000002
【実用新案登録請求の範囲】
【請求項１】
長尺な台形状で、底辺の両角がそれぞれ４５度であることを特徴とするマグネットホルダー。
【請求項２】
４つを組み合わせて額縁形状にすることが可能な、請求項１に記載のマグネットホルダー。
【請求項３】
プラスチックケース内に、複数の永久磁石を収納して形成される、請求項１又は２に記載のマグネットホルダー。
【請求項４】
前記プラスチックケースに適宜装飾が施される、請求項３に記載のマグネットホルダー。
【請求項５】
上辺及び底辺は、波形状、鋸歯形状その他の非直線状にされる、請求項１乃至３のいずれかに記載のマグネットホルダー。
【考案の詳細な説明】
【技術分野】
【０００１】
本考案は、マグネットホルダーに関するものであり、より詳細には、磁性材製の掲示板やホワイトボード等に、掲示物を磁着保持するためのマグネットホルダーに関するものである。
【背景技術】
【０００２】
学校、公共施設、あるいは、ビルやマンションのエレベータールーム等において、磁性材製の掲示板やホワイトボード等に種々の告知用掲示物や案内用掲示物を定着するために、種々の形状のマグネットホルダーが利用されている。そのマグネットホルダーとしては、円形のものや、動物、キャラクター等を表現したものが多く、それを複数用いて掲示物の上辺、あるいは、四隅を磁着する。また、１本の長尺物で、掲示物の上辺、あるいは、上下両辺を磁着することもある。
【先行技術文献】
【特許文献】
【０００３】
【特許文献１】意匠登録第１４４０９５６号公報
【特許文献２】意匠登録第１４４７１４０号公報
【考案の概要】
【考案が解決しようとする課題】
【０００４】
上記長尺のマグネットホルダーは、単なる棒材状のものが多く、単独使用を前提としており、複数組み合わせての使用は想定されていない。そこで本考案は、単独使用は当然のこととし、４つを組み合わせて額縁形状にして使用することも可能なマグネットホルダーを提供することを課題とする。
【課題を解決するための手段】
【０００５】
上記課題を解決するための請求項１に記載の考案は、長尺な台形状で、底辺の両角がそれぞれ４５度であることを特徴とするマグネットホルダーである。
【０００６】
一実施形態においては、４つを組み合わせて額縁形状にして使用可能である。
【０００７】
一実施形態におけるマグネットホルダーは、プラスチックケース内に、複数の永久磁石を収納して形成される。その場合、前記プラスチックケースに適宜装飾が施されることがある。
【０００８】
一実施形態においては、上辺及び底辺は、波形状、鋸歯形状その他の非直線状にされる。
【考案の効果】
【０００９】
本考案は上記のとおりであって、単独使用できるだけでなく、４つを組み合わせて額縁形状にして使用することが可能で、その場合は見栄えが良く、掲示物の注目度を高め得る効果がある。  
【図面の簡単な説明】
【００１０】
【図１】本考案に係るマグネットホルダーの斜視図である。
【図２】本考案に係るマグネットホルダーの使用状態を示す正面図である。
【図３】本考案に係るマグネットホルダーの他の使用状態を示す、斜視図及び正面図である。
【考案を実施するための形態】
【００１１】
本考案を実施するための形態につき、添付図面に依拠して説明する。図１は本考案に係るマグネットホルダー１の形状例を示す斜視図で、そこに示されるように、マグネットホルダー１は、長尺な台形状で、底辺２の両角がそれぞれ４５度に形成される。マグネットホルダー１の上辺３及び底辺２は、直線状である必要はなく、波形状、鋸歯状等であってもよい。マグネットホルダー１は、例えば、プラスチックケース内に、複数の永久磁石を収納したものとされ、そのプラスチックケースの表面に、適宜装飾が施されることもある。
【００１２】
本考案に係るマグネットホルダー１は、一般の長尺のマグネットホルダーと同様に、学校、公共施設、あるいは、ビルやマンションのエレベータールーム等において、磁性材製の掲示板やホワイトボード等に、種々の告知用、あるいは、催し物等の案内用掲示物５を定着するために用いられる。
【００１３】
マグネットホルダー１を単独使用する場合は、単に掲示物５の上辺に配し、その部分を磁着させる（図２参照）。また、４つを組み合わせて額縁形状にして使用する場合は、両側の斜面４同士を突き合わせるようにして、掲示物５の四辺に配する（図３参照）。斜面４の角度はすべて４５度であるので、斜面４同士を突き合わせると、必ず直角が形成される。その場合、同じサイズのマグネットホルダー１を用いれば正方形の額縁と成り、短尺のマグネットホルダー１を２本と長尺のマグネットホルダー１ａを２本用いれば、長方形の額縁となる（図３参照）。
【００１４】
この使用例の場合、掲示物５は、額縁内に収められているように見えるために見た目がよく、注目度が増すので、特に掲示物５が緊急告知用である場合に有効となる。マグネットホルダー１のプラスチックケースに装飾が施されている場合や、マグネットホルダー１の上辺３と底辺２が波形状や鋸歯状等に加工されている場合は、一層見た目がよいものとなる。
【産業上の利用可能性】
【００１５】
本考案は上記のとおりであって、単独使用できるだけでなく、４つを組み合わせて額縁形状にして使用することが可能で、その場合は見栄えが良く、掲示物の注目度を高め得る効果があり、その産業上の利用可能性は大である。
【符号の説明】
【００１６】
１，１ａ          マグネットホルダー
２                底辺
３                上辺
４                斜面
５                掲示物  
【図１】
0003230100.tif 000003
【図２】
0003230100.tif 000004
【図３】
0003230100.tif 000005
(57)【要約】      （修正有）【課題】温暖化のもとになっている大気中の二酸化炭素を回収し貯留する二酸化炭素回収材及び貯留材を提供する。【解決手段】二酸化炭素回収材及び貯留材は、木に大気中の二酸化炭素を吸収させ、炭素として幹にため込んだものを、切り倒し３０〜５０ｃｍ程度の長さに輪切りにし、液体ガラスに浸けこんだり塗布したりして幹の炭素が大気中に出ないようにしたものであり、地中深く堆積させる。【選択図】図２
0003230052.tif 000002
【実用新案登録請求の範囲】
【請求項１】
木に大気中の二酸化炭素を吸収させ、炭素として幹にため込んだものを、切り倒し３０〜５０ｃｍ程度の長さに輪切りにし、液体ガラスに浸けこんだり表面に液体ガラスを塗布したりして幹の炭素が大気中に出ないようにすることを特徴とする木材から作る二酸化炭素回収材及び貯留材。
【考案の詳細な説明】
【技術の分野】
【０００１】本考案は、大気中の二酸化炭素を回収し、地下の地層に堆積させるＣＯ２回収材及び貯留材に関するものである。
【背景技術】
【０００２】液体ガラスを木材に含侵させたり、塗布し、木材としての耐久性を高めることは現在広く行われている。
【考案の概要】
【考案が解決しようとする課題】
【０００３】現在の地球環境において、大気中の二酸化炭素量は増え続け、温暖化の傾向が進み深刻な状況になりつつある。この、温暖化を進めている大気中の二酸化炭素を回収し、貯留させる。
【課題を解決するための手段】
【０００４】本考案は、木に大気中の二酸化炭素を吸収させ、炭素として幹にため込んだものを、切り倒し適当な大きさに輪切りにし、液体ガラスに浸けこんだり塗布したりして幹の炭素が長期間大気中に拡散しないようにする。そして、切り倒した後の土地に、二酸化炭素貯留材として使いやすい木材、例えばヒノキ、杉などを新たに植林し、大気中の二酸化炭素を吸収させる。
【考案の効果】
【０００５】大気中の二酸化炭素回収が比較的簡単に、安価に行える。【０００６】大気中の二酸化炭素を回収することによって、温暖化に歯止めをかけることができる。
【図面の簡単な説明】
【０００７】
【図１】液体ガラスの入った水槽
【図２】液体ガラスに浸けこんだ木の幹の輪切りを自然乾燥したもの
【図３】地下の地層に堆積しようとしているところ
【考案を実施するための形態】
【０００８】幹の太さによるが、ショベルカーで扱いやすい大きさ３０〜５０ｃｍの長さに輪切りにし、液体ガラスに浸けこみ常温で乾燥させる。
【実施例】
【０００９】以下、添付図に従って、一実施例を説明する。［図２］は、炭素として幹にため込んだものを、切り倒し適当な大きさに輪切りにし、［図１］の液体ガラスに浸けこんだものを、自然乾燥し［図３］のように地中深く堆積させる。埋める際にも上から液体ガラスをかけておく方法もある。
【符号の説明】
【００１０】１液体ガラス
２液体ガラスを入れる水槽
３液体ガラスに浸けこんだ木の幹の輪切りを自然乾燥したもの
４地下の地層に堆積しようとしている液体ガラスに浸けこんだ木の幹の輪切りを自然乾燥したもの
【図１】
0003230052.tif 000003
【図２】
0003230052.tif 000004
【図３】
0003230052.tif 000005
(57)【要約】      （修正有）【課題】使用中にずれて、さらには足から抜けてしまうことを防止できる靴下を提供する。【解決手段】靴下の踵２の内側に横一文字状の切り込み或いは円形状の穴６を施した踵掛布５を設けて、踵掛布の切り込み或いは円形状の穴に足の踵が挿入されて靴下の踵が足の踵にフィットして、踵掛布の切り込み或いは円形状の穴の上部が足の踵の成長軟骨の上部付近に引っ掛って、靴下のつま先方向への張力による踵の上部から下部へ向かって発生する張力を、つま先方向へのほぼ水平方向に変えて、靴下が足の踵からずれて抜けるのを防止する。【選択図】図３
0003230053.tif 000002
【実用新案登録請求の範囲】
【請求項１】
パンプス靴下或いはその他の靴下であって、該靴下の踵の内側に横一文字状の切り込み或いは円形状の穴を施した踵掛布を設けて、前記踵掛布の前記切り込み或いは前記穴に足の踵が挿入されて前記靴下の踵が足の踵にフィットして、前記踵掛布の前記切り込み或いは前記穴の上部が足の踵の成長軟骨の上部付近に引っ掛って、前記踵掛布がない場合に靴下のつま先方向への張力による踵の上部から下部へ向かって発生する張力を、つま先方向へのほぼ水平方向に変えて、従来の靴下にある前記張力によって足の踵からずれて抜けるのを防止した靴下である。
【考案の詳細な説明】
【技術分野】
【０００１】    本考案は、各種の靴下に関するものである。
【背景技術】
【０００２】    高齢化に伴い、特に足の冷え防止のために靴下を履いたまま就寝する者が多い。その際、就寝時には足の圧迫感をなくすためにゆるめの靴下を選ぶことが多い。しかし、その場合、就寝中に足を動かすことで生じる靴下と寝具との摩擦力によって靴下がずれて、さらには足から抜けてしまう問題がある。
また、赤ちゃん用靴下でも、激しい足の動きによる同様の問題がある。
また、抜けやすいパンプス靴下のようなものでは踵部にすべり止めを施したものがある。しかし、そのすべり止めも十分な効果が得られていない。
そこで、それらの問題を解決するために、靴下の踵の部分を切り取って穴を開けて、該穴から足の踵が外に出て、その穴の切り口が足の踵にフィットして止まるように施して、このように施されて踵の部分に穴が開けられた靴下が足の踵に止まるようにして、靴下がずれて足から抜けないようにした靴下が考案されている（下記特許文献１参照）。しかし、前記穴を靴下に直接設けているので特に外観上違和感を生じるなどの問題がある。
【先行技術文献】
【特許文献】
【０００３】
【特許文献１】実用新案登録第３２２３６２９号
【考案の概要】
【考案が解決しようとする課題】
【０００４】    従来の靴下は、その使用状態によっては使用中にずれて、さらには足から抜けてしまうなどの課題があった。また靴下に穴を設けるために外観上違和感を生じるなどの問題がある。
【課題を解決するための手段】
【０００５】  上記課題を解決するために、本考案は、靴下１の踵２の内側に横一文字状の切り込み６を施した踵掛布５を設けて、踵掛布５の切り込み６に足の踵が挿入されて靴下１の踵２が足の踵にフィットして、踵掛布５の切り込み６の上部が足の踵の成長軟骨の上部付近に引っ掛って、踵掛布５がない場合に靴下のつま先４方向への張力による踵２の上部から下部へ向かって発生する張力を、つま先４方向へのほぼ水平方向に変えて、従来の靴下にある前記張力によって足の踵からずれて抜けるのを防止した靴下である。
なお、踵掛布５の切り込み６或いは円形状の長さ或いは大きさは、足の踵が挿入されるに十分であることを要する。また、踵掛布５はその外周部分を靴下１の踵２の内側に接着し、或いは縫い付け、または機械縫製するなど特に限定しない。
また、踵掛布５は、切り込み６を切り込み６に代えた円形状のものであっても良い。さらに、本考案の靴下は、図１のパンプス靴下１の他、普通丈のもの、ブーツソックスやカバーソックス、さらには赤ちゃん用ソックスなどでもよく、特に限定しない。
また、図３の踵掛布５の切り込み６は、図２の切り込み６に足の踵が挿入されて円形状に変形した状態の図である。
【考案の効果】
【０００６】  本考案は、靴下１の踵２の内側に横一文字状の切り込み６或いは円形状の穴を施した踵掛布５を設けて、踵掛布５の切り込み６或いは円形状の穴に足の踵が挿入されて靴下１の踵２が足の踵にフィットして、踵掛布５の切り込み６或いは円形状の穴の上部が足の踵の成長軟骨の上部付近に引っ掛って、踵掛布５がない場合に靴下のつま先４方向への張力による踵２の上部から下部へ向かって発生する張力を、つま先４方向へのほぼ水平方向に変えて、従来の靴下にある前記張力によって足の踵からずれて抜けるのを防止する。
また、靴下その物に切り込みを或いは穴を設けていないので、使用上においても外観上においても違和感が生じない。
【図面の簡単な説明】
【０００７】
【図１】  本件考案の靴下の一実施例のパンプス靴下の外観図である。
【図２】  本件考案の靴下の踵掛布の一実施例を示す概略平面図である。
【図３】  本件考案の靴下の踵掛布を靴下の踵部分の内側に設けて、その切り込みに足の踵を挿入した状態の前記靴下の踵部分の内側を示す概略斜視図である。
【符号の説明】１  靴下
２  靴下の踵
３  靴下の底
４  靴下のつま先
５  踵掛布
６  切り込み
【図１】
0003230053.tif 000003
【図２】
0003230053.tif 000004
【図３】
0003230053.tif 000005
(57)【要約】【課題】本考案は、立体的な構造の耳紐をなくした顔に貼り付けるマスクであり、顔の輪郭を可視化し、耳紐が邪魔になる場面に置いても脱着する必要がなく、常時マスクを着用することを可能としている。【解決手段】本考案は、薄手の不織布または同等の適宜素材を裁断した部材を接ぎ合わせ立体的に形成したマスク本体１に、顔とマスク本体１を密着させる役割を果たす粘着両面テープ２を配すことで、耳紐をなくしても独立して顔に付着させることを可能としている。湾曲部分を縫合することで生まれる立体感により、凹凸のある顔面を覆い隠さず、呼気を楽にし、また耳紐が邪魔になるシーンでも都度着脱する必要がなく、常時マスクを着用することを助ける。【選択図】図１
0003230055.tif 000002
【実用新案登録請求の範囲】
【請求項１】
不織布及び類似する生地をマスク型に切り取った部材を、縫製または圧着することによって仕立てた立体的な構造のマスクの内側数カ所に、粘着両面テープを貼り付けることで、耳紐がない状態でも独立して顔面に着用することができる立体型の貼るマスク
【考案の詳細な説明】
【技術分野】
【０００１】  本考案は、立体的で顔の輪郭を隠さず、呼吸を妨げない構造で、かつ内側に添付された粘着両面テープを顔に貼り付けることにより、耳紐をなくしても着用できるマスクに関することである。
【背景技術】
【０００２】  美容・理容室における施術で、シャンプーや薬剤などの塗布時及び散髪時に、被施術者はその都度マスクを着脱する必要があった。
【先行技術文献】
【特許文献】
【０００３】
【特許文献１】特開２０１４−１６１７１５号広報
【考案の概要】
【考案が解決しようとする課題】
【０００４】  美容・理容室などの施術において、マスクの着用により、顔の輪郭が覆い隠され、散髪に支障が出るため、技師が被施術者の顔の輪郭を確かめるために被施術者は一時的にマスクを外さなければならない。またシャンプーや薬剤などの塗布時に耳紐が汚れるため、都度マスクを着脱する必要があった。
このことにより、マスク本体に手指に触れる回数が増えることや衛生的観点においてマスクを置いておく場所に困るなどの問題点に対し、施術時間中にマスクを着脱する必要をなくすためのもの考案である。
【課題を解決するための手段】
【０００５】  本考案は、薄手の不織布及び同様の素材を用い、部品を立体的に縫製または圧着した本体の内側数カ所に粘着両面テープを設置することで、耳紐を廃してもマスクが顔に独立して貼り付けられ、施術内容に応じたマスクの脱着を不要とすることにより問題点を解決している。
【考案の効果】
【０００６】  上述のように、本考案の耳紐なし立体貼り付けマスクは、マスク着用の上から顔の輪郭を可視できることで、散髪などの施術のためにマスクを脱着する必要がなくなる。また、耳紐がなくとも顔に密着し、マスクの耳紐が汚れる心配がない。
【図面の簡単な説明】
【０００７】
【図１】本考案の本マスクの実施例を示す正面図である。
【図２】本マスクの展開図である。
【考案を実施するための形態】
【０００８】  マスク本体を広げ、粘着両面テープの剥離紙を剥がす。テープ側を顔面として、マスク中央の縫合線の頂点を鼻根の中心に据え、左右端に向けて、マスクの上端を目眼窩の下前外縁に沿わせながら密着させ頬骨のもみあげの手前で粘着テープを貼り付ける。本体を立体的に形成しているため着用しても顔面の凹凸感を損なうことがなく、テープによる付着により耳紐がなくても着用が可能である。
【実施例】
【０００９】  以下、添付画像に従って実施例を説明する。図１と図２に示す符号はそれぞれ共通の部位を示すものとする。１は不織布または類似する適宜素材にて形成された立体マスク本体、２はマスク本体を耳に近い頬骨の付近で顔と密着させる役割を果たす粘着両面テープである。
生地をマスク型に裁断し、二枚を重ね、端から５ｍｍ程度空けた３の接着線上を縫合または熱による圧着処理を行う。
マスクを展開し、内側の外端か５ｍｍ程度空けた、左右対象位置に、それぞれ１箇所以上、粘着両面テープを貼る。図２の展開図の通り、湾曲部分を縫合することで生まれる立体感により、凹凸のある顔面を、隙間を最小限に覆い、さらに、粘着部分が顔の頬骨付近で顔とマスクを密着させる役割を果たす。
【産業上の利用可能性】
【００１０】本考案は、主に美容所・理容所などにおいて、非施術者が施術の工程によりマスクを着用できない場面でも、脱着することなく、常時マスクを着用する事ができる目的で開発している。このことより、美容所や理容所での活用の可能性を見出すことができる。
【符号の説明】
【００１１】１マスク本体
２粘着両面テープ
３接着線
【図１】
0003230055.tif 000003
【図２】
0003230055.tif 000004
(57)【要約】      （修正有）【課題】マッサージ器の一部に設けた凹凸により、マッサージ効果をより一層高め、材質に木材を使用することにより、自然・環境に優しいマッサージ器を提供する。【解決手段】一部に凹凸を設けた檜（ひのき）材を浴槽内で使用することにより、フィトンチッドの香りによるリラックス効果とある程度不規則のある凹凸により、マッサージ効果を高める。健康増進に役立つ。【選択図】図１
0003230041.tif 000002
【実用新案登録請求の範囲】
【請求項１】
檜（ひのき）材を用い、その一部に凹凸を設けたマッサージ器。
【請求項２】
このマッサージ器の凹凸部分は、図１から図３に示したような形状である。
【考案の詳細な説明】
【技術分野】
【０００１】    本考案は、凹と凸部分の間隔と幅を不規則（実際は一定の規則性がある。）にしてマッサージ効果を高めたものである。
【背景技術】
【０００２】  通常のマッサージ器はそのほとんどが部屋で使われていて、電気などの動力が使われている。。また、その器具の材質もプラスチックスなどが多く、廃棄した場合、問題となるケースがある。
【考案の開示】
【考案が解決しようとする課題】
【０００３】  電気などの動力を使わないことや材質が木材であることなど、環境にやさしく、経済的である。また、その一見不規則な形状が当てた部位に特別な刺激を与える。
【課題を解決するための手段】
【０００４】  本考案のものは主として浴室で使い、上記［０００１］と相俟ってより一層その効果を高めるものである。
【考案の効果】
【０００５】  本考案の浴槽首マッサージ器は電気などの動力を一切使わない、極めてエコノミーなものである。また、プラスチックスなどを使用せず、木材を使用することで廃棄する際のゴミ処理問題を解決できる。さらに、その不規則性のある凹凸の効果や、檜（ひのき）材から発するフィトンチットのリラックス効果によって健康増進にも役立つ。
【考案を実施するための形態】
【０００６】  主に浴槽において人体の首部に使用するが、浴室以外でも枕または座布団などの上に置いて使ってもよいし、あるいは腰部などに当てて使用してもよい。
【実施例】
【０００７】  以下、添付図面に従って一実施例を説明する。
身体の頭部が来る方の浴槽の縁に図５のように本マッサージ器を置く。【０００８】  本マッサージ器の上に図６のように頭を乗せる。【０００９】  頭を乗せた位置・状態から首を左右に転がす。【００１０】  その速度は、一往復に３秒から６秒位が適切である。これは、自分で一番良いと感じる速度で、１回５〜６往復行う。【００１１】  本マッサージ器の主な使い方は上記のように浴槽にて使用するが、浴槽以外の部屋・場所でも枕や座布団などを用いて使用してよい。【００１２】  本マッサージ器を使用する場合は、その凹凸部が首または腰などの部位にうまくフィットするようにする。
【図面の簡単な説明】
【００１３】
【図１】本マッサージ器の透視図
【図２】本マッサージ器の上面図
【図３】本マッサージ器の正面図
【図４】本マッサージ器の右側面図
【図５】本マッサージ器の設置場所
【図６】本マッサージ器の首部への当て方
【符号の説明】
【００１４】白丸の１〜９の数値および黒丸の１〜８の数値はそれぞれ皆凸部で、黒丸の１〜８の数値の幅はすべて６ミリ幅。
【図１】
0003230041.tif 000003
【図２】
0003230041.tif 000004
【図３】
0003230041.tif 000005
【図４】
0003230041.tif 000006
【図５】
0003230041.tif 000007
【図６】
0003230041.tif 000008
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
檜（ひのき）材を用い、その一部に凹凸を設けたマッサージ器。
【請求項２】
前記マッサージ器の凹凸部分は、凹と凸部分の間隔と幅を不規則としたことを特徴とする請求項１記載のマッサージ器。
【手続補正３】
【補正対象書類名】明細書
【補正対象項目名】０００１
【補正方法】変更
【補正の内容】
【０００１】本考案は、凹と凸部分の間隔と幅を不規則にしてマッサージ効果を高めたものである。
【手続補正４】
【補正対象書類名】明細書
【補正対象項目名】０００７
【補正方法】変更
【補正の内容】
【０００７】以下、図１から図４に示す具体的な形状のものを使用した浴槽での一実施例について説明する。
身体の頭部が来る方の浴槽の縁に図５のように本マッサージ器を置く。
(57)【要約】      （修正有）【課題】スプリットリングを開閉させる釣り用プライヤーにおいて、一つのプライヤーで幅広いスプリットリングのサイズに対応させる。【解決手段】プライヤーのくわえ部１、２の先端３、４と中央部５、６に異なる大きさの開閉部を設ける。先端部が咬み合わさることによってスプリットリングの中でも小さく開閉にさほど力を要さない物を開閉させ、中央部が咬み合わさる事で大型の開閉に力を要するものを開閉させる。中央部６は溝ではなく窪みにすることでスプリットリングが溝にはまるのを防ぐ。さらに、くわえ部１の内面を側面より細くし、くわえ部２の側面の角を落とす事でスプリットリングを保持部７、８で挟む時にスプリットリング内外のスペースを確保する。【選択図】図１
0003230044.tif 000002
【実用新案登録請求の範囲】
【請求項１】
スプリットリングのサイズを問わず開閉できる釣り用プライヤー
【請求項２】
二つ以上の開閉させる機構を持つ釣り用プライヤー
【考案の詳細な説明】
【技術分野】
【０００１】  本案件は、スプリットリングのサイズを問わずルアーやフック、仕掛け等に用いるときに開閉し、挟み交換する機能を備えた釣り用プライヤーに関するものである
【背景技術】
【０００２】  従来の釣り用プライヤーでは限られた大きさのスプリットリングしか開閉出来ない物が提供されていた。
【先行技術文献】
【０００３】
【特許文献１】特開２０００−３１６４４２
【特許文献２】特開２００２−３３５８３９
【０００４】
【非特許文献１】実用新案登録第３２１５７６２号（Ｕ３２５７６２）
【考案の概要】
【考案が解決しようとする課題】
【０００５】  スプリットリングのサイズによりプライヤーのサイズを交換していたものを、一つのプライヤーでサイズに関係なく開閉させ、フックや仕掛けの交換を行える物を提供する。
特許文献１の物はスプリットリングを開閉させる箇所が二つあるがその内のくわえ部の中ほどにある大きなスプリットリングを開閉させる箇所には深い溝が有り、ここにスプリットリングがはまってしまい実際には開閉がしづらい。また、くわえ部が太い事によりスプリットリングの内外にスペースを確保しにくい。
特許文献２の物はスプリットリングが大きくなければ開閉できず、交換の際にもくわえ部が太い事によりスプリットリング内外に交換するためのスペースが確保できず交換がしにくい。
非特許文献１の物は先端部にスプリットリングの開閉部が設けられているので、小さいサイズで力を要さないサイズは開閉できるが、大きく力を要するサイズでは、てこの原理で力が伝わりにくく開閉しにくい。
【課題を解決するための手段】
【０００６】スプリットリングの中でも小さく開閉にさほど力を要さない物はくわえ部の先端部に設けたかぎ状の爪部分で開閉させ、大型の開閉に力を要するものは、くわえ部の中程の凸と凹を設けた部分で挟み開閉する事により問題点を解決している。
【考案の効果】
【０００７】スプリットリングを開閉する部分をくわえ部の先端と中央部にサイズ別で設けることで幅広い大きさのスプリットリングを扱う事が出来、また先端と中央部の開閉部の間に設けたスリットによりスプリットリングやフック、仕掛けを挟み交換を行える
【図面の簡単な説明】
【０００８】
【図１】釣り用プライヤー全体図
【図２】くわえ部でスプリットリングを開閉させる使用状態を表す図
【図３】くわえ部を開いた斜視図
【図４】くわえ部正面断面図
【図５】くわえ部左側面図
【考案を実施するための形態】
【０００９】図１の１（くわえ部上）と２（くわえ部下）で１２（スプリットリング）を挟んで開閉させようとした場合、サイズの小さい物は３（先端爪部）の爪部分に１２（スプリットリング）のスリット部を当て３（先端爪部）と４（先端受け部）で１２（スプリットリング）を挟み込むことで開閉させる。（開閉部二か所で同時に開閉させるのではなく、どちらか一方のみで開閉させるものである）
【００１０】１２（スプリットリング）のサイズの大きなものは５（中央爪部）の爪部分に１２（スプリットリング）のスリット部を当て５（中央爪部）と６（中央受け部）で挟み込む事で開閉させる。
【００１１】７（リング保持部上）と８（リング保持部下）で１２（スプリットリング）を挟み回転させる事で仕掛けへ装着する。
【００１２】図４の９（くわえ部上背面）と１０（くわえ部上正面）の様に１（くわえ部上）を２（くわえ部下）と咬み合わさる面に向けてテーパーをかけることで１３（ルアーやフック、仕掛け）を１２（スプリットリング）に装着する際に回転させ装着させるスペースを確保させる。
【００１３】図５の２（くわえ部下）の６（中央受け部）にあたる左側面は１２（スプリットリング）を挟んだ時にリング内にスペースを確保する為、強度を保つ範囲内で角を落としている。
【符号の説明】
【００１４】１  くわえ部上
２  くわえ部下
３  先端爪部
４  先端受け部
５  中央爪部
６  中央受け部
７  リング保持部上
８  リング保持部下
９  くわえ部上背面
１０くわえ部上正面
１１くわえ部下平面
１２スプリットリング（本物件パーツ外）
１３ルアー（本物件パーツ外）
【産業上の利用可能性】
【００１５】本校案によりスプリットリングのサイズによりプライヤーのサイズを変えることなく幅広いサイズを開閉出来る。
【図１】
0003230044.tif 000003
【図２】
0003230044.tif 000004
【図３】
0003230044.tif 000005
【図４】
0003230044.tif 000006
【図５】
0003230044.tif 000007
【手続補正書】
【提出日】令和2年10月7日(2020.10.7)
【手続補正１】
【補正対象書類名】実用新案登録請求の範囲
【補正対象項目名】全文
【補正方法】変更
【補正の内容】
【実用新案登録請求の範囲】
【請求項１】
把持部一方（１）の先端に爪状突起部（３）を設け、かつ、中央部にも爪状突起部（５）を設けたことを特徴とする釣り用プライヤー
【請求項２】
把持部一方（２）の先端（４）は、もう一方の爪状突起部が先端に重なるよう爪状突起部分の長さ分短く構成され、中央部は把持部一方に構成される爪状突起部が収納される窪み（６）を設けていることを特徴とする請求項１の釣り用プライヤー